(57)【要約】【課題】  測距装置において、簡単な構成により、物体の画像からその物体までの距離を測定する。【解決手段】  撮影手段２と、撮影手段２の撮影視野を投光する投光手段３と、制御部５と、を有し、制御部５は、投光手段３により投光しないときの被測定物の画像（無投光画像）と投光したときの画像（投光画像）とを取得し、無投光画像の輝度値と、無投光画像と投光画像との輝度差から、撮影手段２から被測定物までの距離を算出する。 【選択図】図３
2012117896.tif 000002
【特許請求の範囲】
【請求項１】
撮影手段と、前記撮影手段の撮影視野に投光する投光手段とを有し、前記投光手段から投光して撮影した被測定物の画像に基づき、前記撮影手段から前記被測定物までの距離を計測する測距装置であって、
前記投光手段の発光状態を、第１の発光状態及び第１の発光状態よりも照度の大きい第２の発光状態としたときの、前記被測定物の画像の輝度をそれぞれ取得する輝度取得手段と、
前記撮影手段からの距離毎に予め測定された、前記第１の発光状態における物体の画像の輝度と、前記第１及び第２の発光状態における前記物体の画像の輝度差に基づき、前記第１の発光状態において取得した前記被測定物の画像の輝度と、前記第１及び第２の発光状態において取得した前記被測定物の画像の輝度差から、前記撮影手段から前記被測定物までの距離を算出する算出手段と、
を有する測距装置。
【請求項２】
請求項１に記載された測距装置において、
前記撮影手段からの距離毎に予め測定された、前記第１の発光状態における物体の画像の輝度と、前記第１及び第２の発光状態における前記物体の画像の輝度差とを記憶する記憶手段を有する測距装置。
【請求項３】
請求項１又は２に記載された測距装置において、
前記投光手段の第１の発光状態は消灯状態であり、第２の発光状態は点灯状態である測距装置。
【請求項４】
監視領域に異物がないときの背景画像と、前記監視領域内への異物の侵入を監視する監視画像との差分画像から、前記監視領域内の異物を検知して前記監視領域内の侵入者を検知する侵入者監視装置であって、
請求項１ないし３のいずれかに記載された測距装置と、
前記測距装置が計測した前記撮影手段から前記異物までの距離と、前記差分画像における前記異物画像のサイズから、前記異物サイズを算出する異物サイズ算出手段と、
異物サイズ算出手段が算出した前記異物サイズが所定のサイズ以上であるときに警報を発する警報発生手段と、
を有する侵入者監視装置。
【請求項５】
請求項４に記載された侵入者監視装置において、
前記異物サイズ算出手段は、前記測距装置が計測した、前記異物のうち前記撮影手段から最も遠い部分と前記撮影手段との距離、及び最も近い部分と前記撮影手段との距離の差により、前記異物の厚さを算出する機能を有し、
前記警報発生手段は、さらに、前記異物の厚さが所定の厚さ以上であるときに、警報を発する侵入者監視装置。
【請求項６】
請求項４又は５に記載された侵入者監視装置において、
前記差分画像は、前記投光手段が第１の発光状態であるときに取得された背景画像と監視画像とに基づいて生成される測距装置。
【請求項７】
請求項４又は５に記載された侵入者監視装置において、
前記差分画像は、前記投光手段が第２の発光状態であるときに取得された背景画像と監視画像とに基づいて生成される測距装置。
【請求項８】
撮影手段と、前記撮影手段の撮影視野に投光する投光手段とを有し、前記投光手段から投光して撮影した被測定物の画像に基づき、前記撮影手段から前記被測定物までの距離を計測する測距装置における距離計測方法であって、
前記投光手段の発光状態を、第１の発光状態及び第１の発光状態よりも照度の大きい第２の発光状態としたときの、前記被測定物の画像の輝度をそれぞれ取得する工程と、
前記撮影手段からの距離毎に予め測定された、前記第１の発光状態における物体の画像の輝度と、前記第１及び第２の発光状態における前記物体の画像の輝度差に基づき、前記第１の発光状態において取得した前記被測定物の画像の輝度と、前記第１及び第２の発光状態において取得した前記被測定物の画像の輝度差から、前記撮影手段から前記被測定物までの距離を算出する工程と、
を有する距離計測方法。
【請求項９】
撮影手段と、前記撮影手段の撮影視野に投光する投光手段とを有し、前記投光手段から投光して撮影した被測定物の画像に基づき、前記撮影手段から前記被測定物までの距離を計測する測距装置のコンピュータを、
前記投光手段の発光状態を、第１の発光状態及び第１の発光状態よりも照度の大きい第２の発光状態としたときの、前記被測定物の画像の輝度をそれぞれ取得する輝度取得手段と、
前記撮影手段からの距離毎に予め測定された、前記第１の発光状態における物体の画像の輝度と、前記第１及び第２の発光状態における前記物体の画像の輝度差に基づき、前記第１の発光状態において取得した前記被測定物の画像の輝度と、前記第１及び第２の発光状態において取得した前記被測定物の画像の輝度差から、前記撮影手段から前記被測定物までの距離を算出する算出手段、
として機能させるためのプログラム。
【発明の詳細な説明】
【技術分野】
【０００１】
本発明は、測距装置、その測距装置を用いた侵入者監視装置、距離計測方法、及びプログラムに関する。
【背景技術】
【０００２】
建物敷地等の監視領域への侵入者を監視するため、監視領域を撮影するカメラ（監視カメラ）と、その監視カメラの撮影画像を処理する画像処理装置とを備え、予め撮影した背景画像（侵入者等の異物が存在しない状態の画像）と、監視画像（監視時における撮影画像）との差分、例えば輝度の差分を画素毎に算出して得られる画像（差分画像）から、侵入者等の異物の存在を検知する侵入者監視装置が従来から知られている。
【０００３】
従来の侵入者監視装置は、差分画像を用いるため異物を精度よく検知することができる。しかし、差分画像のみから異物を検知すると、監視領域範囲に侵入したネコやネズミ等の小動物も侵入者として検知するため、頻繁に誤報を生じてしまうことがある。
【０００４】
そこで、このような誤報を防止するため、監視カメラとレーザ測距装置とを備え、レーザ測距装置により、異物が存在しないときに撮影視野内にある各物体までの距離を測定しておき、それらの物体を遮って異物が侵入したときに、その異物までの距離を測定して、異物までの距離とその異物により遮られた物体までの距離との差が所定の距離より大きい場合に、その異物を侵入者と判断する方法が提案されている（特許文献１参照）。ただし、この方法では、撮影視野内にある物体の前に近接して侵入者が立っている場合には、上記距離の差は小さく、小動物と侵入者とを識別するのは困難である。
【０００５】
また、小動物による誤報を防止する第２の方法として、監視カメラから異物までの距離を計測し、計測した距離と差分画像における異物の大きさから、その異物の実際の大きさを算出して、その異物が侵入者か否かを判断する方法も知られている。すなわち、距離計測機能を有するカメラを監視カメラとして用い、この監視カメラで異物を検知すると共に異物までの距離を測定し、その異物の大きさを算出して、その異物が人間か否かを判断するのである。なお、監視カメラで撮影された物体の実際の大きさＲは、監視カメラの撮像面上におけるその物体の影像の大きさｒと、監視カメラからその物体までの距離Ｄから、Ｒ＝（Ｄ／ｆ）×ｒ（ｆは監視カメラの焦点距離）により求めることができる。
【０００６】
このような距離計測機能を有するカメラ（距離カメラ）として、従来、ＣＣＤ等の撮像素子と、撮像素子の撮影視野方向に一定周期の光パルスを照射する発光ダイオード（ＬＥＤ：Light Emitting Diode）と、撮像素子の撮像面の前方に配され撮像素子へ入射する光を通過又は阻止する（オン／オフする）光ゲートと、を有し、ＬＥＤが光パルスを物体に照射した後、その物体からの反射光が撮像素子により受光されるまでの時間を測定して、その物体までの距離を計測する方法（ＴＯＦ法：Time-of-Flight法）により距離計測を行うものがある（特許文献２参照）。すなわち、照射光パルスが発光してから光ゲートをオン（透過状態）にするまでの時間（遅延時間）を徐々に変化させ、物体からの反射光が光ゲートを通過して撮像素子により受光されたときの上記遅延時間から、物体までの距離を算出するのである。
【０００７】
また、従来の距離カメラの第２の例として、所定の距離離れて配置された２台のカメラにより物体を撮影し、各カメラの撮影画像上におけるその物体の位置から、三角測量の原理によりその物体までの距離を測定する方法（ステレオカメラ法又はステレオマッチング法）により距離計測を行うものが知られている（特許文献３参照）。
【０００８】
しかしながら、上記従来の距離カメラは、ＴＯＦ法を用いたものでは、照射光を出射してから反射光を受光するまで時間差を測定するために、特殊な光ゲートや高速に動作する処理装置が必要となること、ステレオカメラ法を用いたものでは、少なくとも２台のカメラを必要とすることから、いずれも構成が複雑でありかつ高価となるという問題がある。そのため、監視カメラとして構成がより簡易であり、したがってより低コストのものが求められている。
【先行技術文献】
【特許文献】
【０００９】
【特許文献１】特許第４４６０７８２号公報
【特許文献２】特開平７−１１０３８１号公報
【特許文献３】特開２００６−１７２２５３号公報
【発明の概要】
【発明が解決しようとする課題】
【００１０】
本発明は、上記従来の問題に鑑みなされたものであって、その目的は、簡単な構成により、物体の画像に基づいてその物体までの距離を計測することである。
【課題を解決するための手段】
【００１１】
本発明は、撮影手段と、前記撮影手段の撮影視野に投光する投光手段とを有し、前記投光手段から投光して撮影した被測定物の画像に基づき、前記撮影手段から前記被測定物までの距離を計測する測距装置であって、前記投光手段の発光状態を、第１の発光状態及び第１の発光状態よりも照度の大きい第２の発光状態としたときの、前記被測定物の画像の輝度をそれぞれ取得する輝度取得手段と、前記撮影手段からの距離毎に予め測定された、前記第１の発光状態における物体の画像の輝度と、前記第１及び第２の発光状態における前記物体の画像の輝度差に基づき、前記第１の発光状態において取得した前記被測定物の画像の輝度と、前記第１及び第２の発光状態において取得した前記被測定物の画像の輝度差から、前記撮影手段から前記被測定物までの距離を算出する算出手段と、を有する測距装置である。
また、本発明は、監視領域に異物がないときの背景画像と、前記監視領域内への異物の侵入を監視する監視画像との差分画像から、前記監視領域内の異物を検知して前記監視領域内の侵入者を検知する侵入者監視装置であって、請求項１ないし３のいずれかに記載された測距装置と、前記測距装置が計測した前記撮影手段から前記異物までの距離と、前記差分画像における前記異物画像のサイズから、前記異物サイズを算出する異物サイズ算出手段と、異物サイズ算出手段が算出した前記異物サイズが所定のサイズ以上であるときに警報を発する警報発生手段と、を有する侵入者監視装置である。
また、本発明は、撮影手段と、前記撮影手段の撮影視野に投光する投光手段とを有し、前記投光手段から投光して撮影した被測定物の画像に基づき、前記撮影手段から前記被測定物までの距離を計測する測距装置における距離計測方法であって、前記投光手段の発光状態を、第１の発光状態及び第１の発光状態よりも照度の大きい第２の発光状態としたときの、前記被測定物の画像の輝度をそれぞれ取得する工程と、前記撮影手段からの距離毎に予め測定された、前記第１の発光状態における物体の画像の輝度と、前記第１及び第２の発光状態における前記物体の画像の輝度差に基づき、前記第１の発光状態において取得した前記被測定物の画像の輝度と、前記第１及び第２の発光状態において取得した前記被測定物の画像の輝度差から、前記撮影手段から前記被測定物までの距離を算出する工程と、を有する距離計測方法である。
また、本発明は、撮影手段と、前記撮影手段の撮影視野に投光する投光手段とを有し、前記投光手段から投光して撮影した被測定物の画像に基づき、前記撮影手段から前記被測定物までの距離を計測する測距装置のコンピュータを、前記投光手段の発光状態を、第１の発光状態及び第１の発光状態よりも照度の大きい第２の発光状態としたときの、前記被測定物の画像の輝度をそれぞれ取得する輝度取得手段と、前記撮影手段からの距離毎に予め測定された、前記第１の発光状態における物体の画像の輝度と、前記第１及び第２の発光状態における前記物体の画像の輝度差に基づき、前記第１の発光状態において取得した前記被測定物の画像の輝度と、前記第１及び第２の発光状態において取得した前記被測定物の画像の輝度差から、前記撮影手段から前記被測定物までの距離を算出する算出手段、として機能させるためのプログラムである。
【発明の効果】
【００１２】
本発明によれば、簡単な構成により、物体の画像に基づいてその物体までの距離を計測することができ、これを用いて、小動物等による誤報を生じにくい侵入者監視装置を安価に構成することができる。
【図面の簡単な説明】
【００１３】
【図１】本発明の第１の実施形態に係る測距装置の構成を示すブロック図である。
【図２】本発明の第１の実施形態に係る測距装置における、記憶部が記憶する距離算出情報の一例を示す図である。
【図３】本発明の第１の実施形態に係る測距装置における、制御部の構成を示すブロック図である。
【図４】本発明の第１の実施形態に係る測距装置の、動作手順を示すフロー図である。
【図５】本発明の第１の実施形態に係る測距装置における、校正モード処理の手順を示すフロー図である。
【図６】本発明の第１の実施形態に係る測距装置における、計測モード処理の手順を示すフロー図である。
【図７】本発明の第１の実施形態に係る測距装置における、撮影モード処理の手順を示すフロー図である。
【図８】本発明の第３の実施形態に係る侵入者監視装置の構成を示すブロック図である。
【図９】本発明の第３の実施形態に係る侵入者監視装置の、動作手順を示すフロー図である。
【図１０】本発明の第３の実施形態に係る侵入者監視装置における、監視モード処理の手順を示すフロー図である。
【図１１】本発明の第３の実施形態に係る侵入者監視装置における、背景取得処理の手順を示すフロー図である。
【図１２】本発明の第３の実施形態に係る侵入者監視装置における、監視処理の手順を示すフロー図である。
【発明を実施するための形態】
【００１４】
以下、図面を参照して、本発明の実施の形態を説明する。
図１は、本発明の第１の実施形態に係る測距装置の構成を示すブロック図である。
本測距装置１は、レンズ及びＣＣＤ等の撮像素子で構成される撮影手段２と、撮影手段２の方向から撮像素子の撮影視野に投光する投光手段３と、を有している。ここで、撮影手段２及び投光手段３として、例えば、可視光ランプや赤外線ランプを備えた、一般に使用されている投光器付きカメラを使用することができる。なお、以下の説明においては、投光手段３により投光して撮影した画像を投光画像、投光せずに撮影した画像を無投光画像という。
【００１５】
本測距装置１は、また、物体の無投光画像の輝度値Ｉと、輝度値Ｉ及び撮影手段２からその物体までの距離（撮影距離Ｌ）により定まる、その物体の無投光画像と投光画像との輝度差ΔＩとの関係を示す距離算出情報を記憶する記憶部４と、撮影手段２等各部の動作を制御する制御部５と、ユーザが制御部５に動作指示を与えるための操作手段であり、かつ、ユーザに画像や種々のデータを表示する表示手段でもある、タッチパネル等から成る操作表示部６を有している。
【００１６】
ここで、記憶部４が記憶する距離算出情報について、以下に説明する。
投光手段３により、撮影手段２の方向から撮影手段２の撮影視野に投光して物体を撮影する場合、その物体は、その撮影環境に存在する蛍光灯や太陽等からの光（環境照明）と、投光手段３から発した光とにより照明される。このうち投光手段３から発してその物体に到達する光の強度は、その物体までの距離の二乗に反比例するため、その物体の投光画像と無投光画像の輝度差ΔＩは、その物体が投光手段３に近いほど、従って撮影手段２に近いほど大きくなる。
【００１７】
一方、ＣＣＤ等の撮影手段２を用いて得られる画像の輝度値Ｉは、一般に、撮影手段２の内部で行なわれるガンマ補正後の値であるため、物体の実際の輝度と撮影手段２から出力される輝度値Ｉとの関係は、線形にはならない。このため、無投光画像と投光画像から算出される輝度差ΔＩは、通常はその物体の無投光画像の輝度値Ｉにも依存する。
【００１８】
したがって、撮影手段２から物体までの距離（撮影距離）Ｌ、その物体の無投光画像の輝度値Ｉ、及び、投光画像と無投光画像の輝度差ΔＩとの関係を、輝度値Ｉの異なる複数の物体について撮影距離Ｌを変えながら予め測定し、これらの測定値に基づいて、輝度値Ｉと輝度差ΔＩにより撮影距離Ｌを求める算出式を導出すれば、その算出式から、撮影距離の不明な物体までの距離を算出することができる。また、算出式を導出できない場合でも、上記の測定値に対し内挿法又は外挿法を用いることにより、撮影距離の不明な物体までの距離を算出することができる。
【００１９】
本実施形態では、撮影距離Ｌ、輝度値Ｉ、及び輝度差ΔＩの測定値に対し内挿法又は外挿法を用いて、物体までの距離を算出するものとし、上記測定値を距離算出情報として記憶部４に記憶するものとしている。
すなわち、記憶部４が記憶する距離算出情報は、撮影手段２から物体までの距離（撮影距離）Ｌ、その物体の無投光画像の輝度値Ｉ、及び、投光画像と無投光画像の輝度差ΔＩを、輝度値Ｉの異なる複数の物体について撮影距離Ｌを変えながら予め測定して得た測定値に基づいて作成される。
【００２０】
図２は、記憶部４が記憶する距離算出情報の一例を示す図である。
図２Ａに示す距離算出情報には、左側の列から右に向かって、撮影距離Ｌ、無投光画像の輝度値Ｉ、及び無投光画像と投光画像の輝度差ΔＩが記載されている。なお、輝度値Ｉ及び輝度差ΔＩは、２５６階調で表現した輝度の階調値で表されている。
【００２１】
この距離算出情報は、例えば、輝度の異なる３つの領域で構成されたテストチャートを用いて、撮影距離Ｌを変えながら、撮影手段２と投光手段３により投光画像及び無投光画像を取得することにより作成することができる。
【００２２】
図２Ｂは、図２Ａに示した距離算出情報の、輝度値Ｉと輝度差ΔＩとの関係を示すグラフであり、横軸を輝度値Ｉ、縦軸を輝度差ΔＩとして、撮影距離Ｌが３ｍ、６ｍ、及び９ｍのときの測定値がプロットされている。
【００２３】
図２Ａに示した距離算出情報を用いると、撮影距離Ｌが不明な物体Ｚについて、その撮影距離Ｌを以下のように算出することができる。
一例として、その物体Ｚの無投光画像の輝度値Ｉが１００、投光画像の輝度値が１２０であったとする。したがって、輝度差ΔＩは２０（＝１２０−１００）である。
【００２４】
まず、図２Ａの距離算出情報に示された測定値から、撮影距離Ｌが９ｍ、６ｍ、及び３ｍのそれぞれについて、輝度値Ｉ＝１００における輝度差ΔＩを線形内挿法（直線近似）により算出すると、Ｌ＝９ｍにおいてΔＩ＝１４．３６、Ｌ＝６ｍにおいてΔＩ＝３３．７３、Ｌ＝３ｍにおいてΔＩ＝７３．３１となる。
【００２５】
物体Ｚの輝度差ΔＩ＝２０は、上記で算出したＬ＝９ｍにおける輝度差ΔＩ＝１４．３６とＬ＝６ｍにおける輝度差ΔＩ＝３３．７３の間にあることから、物体Ｚの撮影距離Ｌは、９ｍと６ｍの間にあることが判る。そこで、これらの値から、ΔＩ＝２０となる撮影距離Ｌを線形内挿法により求めると、物体Ｚの撮影距離Ｌは８ｍとなる。
【００２６】
なお、上記の例では３次元空間（Ｌ、Ｉ、ΔＩ）における線形内挿法（双線形内挿法）を用いたが、他の内挿法（例えば、双２次内挿法や双３次内挿法）を用いることもできる。また、線形外挿法や２次外挿法等の外挿法を用いて、例えば、投光手段３から９ｍより遠くにある物体や、３ｍより近くにある物体の撮影距離Ｌを算出することもできる。
【００２７】
また、上記の例のように内挿法を用いて物体の撮影距離Ｌを求めるのではなく、図２Ａに示した測定値に基づいて、被測定物の撮影距離Ｌを距離範囲として求めることもできる（上記の例では、撮影距離Ｌ＝６ｍ以上で９ｍ未満）。なお、撮影距離Ｌをより狭い距離範囲で特定したい場合には、図２Ｃに点線で示すように、測定した撮影距離Ｌとは異なる撮影距離Ｌ（図２Ｃでは、４ｍ、５ｍ、７ｍ、及び８ｍ）についての輝度値Ｉと輝度差ΔＩの関係を、予め内挿法により算出して距離算出情報（図２Ａの表）に追加しておけばよい。
【００２８】
さらに、上記の説明においては、投光手段３がＯＮの時（点灯時）及びＯＦＦのとき（消灯時）に物体を撮影し、投光画像及び無投光画像からその物体の距離を算出するものとしたが、環境照明が暗く、適切な明るさの無投光画像が得られないときは、投光手段３の発光状態を照度の異なる２つの発光状態で点灯させて、物体までの距離を算出することもできる。すなわち、投光手段３を、第１の発光状態と、第１の発光状態よりも明るい（照度の大きい）第２の発光状態で点灯するものとし、無投光画像の代わりに第１の発光状態において撮影した画像を、投光画像の代わりに第２の発光状態において撮影した画像を用いて、物体までの距離を算出することもできる。
【００２９】
図３は、制御部５の構成を示すブロック図である。
制御部５は、ＣＰＵ（Central Processing Unit）、プログラムが書き込まれたＲＯＭ（Read Only Memory）、データの一時記憶のためのＲＡＭ（Random Access Memory）等を有するコンピュータであり、撮影手段２と投光手段３を制御して、撮影手段２の撮影視野内にある物体の無投光画像及び投光画像を取得する画像取得手段５１と、その物体の無投光画像及び投光画像の輝度をそれぞれ取得して、輝度値Ｉ及び輝度差ΔＩを特定する輝度取得手段５２と、特定した輝度値Ｉ、輝度差ΔＩ、及び記憶部４に記憶された距離算出情報から、その物体までの距離を算出する算出手段である距離算出手段５３と、記憶部４に記憶する距離算出情報を作成する算出情報作成手段５４と、外部の機器（例えば、パーソナルコンピュータ：ＰＣ（Personal Computer））との間で動作指示やデータ等の情報をやりとりするため通信インタフェース５５と、を有している。
【００３０】
ここで、制御部５が有する上記の各手段は、プログラムにより実現される制御部（コンピュータ）５の機能実現手段である。また、コンピュータ・プログラムは、コンピュータ読み取り可能な任意の記憶媒体に記憶させておくことができる。
【００３１】
上記の構成を備える測距装置１は、ユーザが、撮影手段２の撮影視野を物体に向けた後、電源を投入して操作表示部６により撮影を開始すると、まず、制御部５が、投光手段３をＯＮ／ＯＦＦを制御して、撮影手段２によりその物体の無投光画像と投光画像を取得する。次に、制御部５は、無投光画像から輝度値Ｉを、無投光画像と投光画像から輝度差ΔＩを求め、記憶部４が記憶している距離算出情報を参照して、その物体の撮影距離Ｌを算出する。
【００３２】
これにより、測距装置１は、特殊な部品を用いることなく、一般に使用されている投光器付きカメラ等、撮影手段２と投光手段３とを組み合わせた簡単な構成により、物体の画像に基づいてその物体までの距離を測定することができる。
【００３３】
次に、測距装置１の動作手順について、図４に示すフロー図を用いて説明する。なお、測距装置１は３つの動作モード、すなわち、記憶部４に距離算出情報を記憶させるための校正モード、撮影視野内の物体を撮影する撮影モード、及び、物体を撮影すると共にその物体までの距離を測定する計測モードを有している。
【００３４】
まず、ユーザが測距装置１の電源を投入すると（Ｓ１０１）、制御部５は、動作モードを入力するための画面（動作モード入力画面）を操作表示部６に表示し（Ｓ１０２）、動作モードが入力されたか否かを判断して（Ｓ１０３）、動作モードが入力されていないときは（Ｓ１０３、Ｎｏ）、入力されるまで待機する。一方、動作モードが入力されたときは（Ｓ１０３、Ｙｅｓ）、入力された動作モードが校正モードか否かを判断し（Ｓ１０４）、校正モードであるときは（Ｓ１０４、Ｙｅｓ）、校正モード処理を行った後（Ｓ１０５）、ステップＳ１０２に戻る。
【００３５】
ステップＳ１０４において、入力された動作モードが校正モードでないときは（Ｓ１０４、Ｎｏ）、入力された動作モードが計測モードであるか否かを判断し（Ｓ１０６）、計測モードであるときは（Ｓ１０６、Ｙｅｓ）、計測モード処理を行った後（Ｓ１０７）、ステップＳ１０２に戻る。
一方、入力された動作モードが計測モードでないとき、即ち、撮影モードであるときは（Ｓ１０６、Ｎｏ）、撮影モード処理を行った後（Ｓ１０８）、ステップＳ１０２に戻る。
【００３６】
次に、測距装置１における校正モード処理の手順を、図５に示すフロー図にしたがって説明する。
校正モード処理を開始すると、制御部５は、操作表示部６に、ユーザが撮影開始指示を入力するための画面を表示し（Ｓ２０１）、撮影開始指示が入力されたか否かを判断する（Ｓ２０２）。そして、撮影開始指示が入力されていないときは（Ｓ２０２、Ｎｏ）、入力されるまで待機する。
【００３７】
この待機期間に、ユーザは、例えば輝度の異なる３つの領域で構成されるテストチャートを準備し、そのテストチャートを撮影手段２から所定距離離れた位置に配置する。そして、テストチャートの配置を完了したら、操作表示部６に撮影開始指示を入力する。
【００３８】
操作表示部６により撮影開始指示が入力されると（Ｓ２０２、Ｙｅｓ）、制御部５は、画像取得手段５１により、投光手段３をＯＦＦにしてテストチャートの無投光画像を取得した後（Ｓ２０３）、投光手段３をＯＮにしてテストチャートの投光画像を取得する（Ｓ２０４）。
【００３９】
次に、制御部５は、操作表示部６に、テストチャートの投光画像を表示すると共に、ユーザに対し、輝度値Ｉ及び輝度差ΔＩを求める領域（測定対象領域）と、その測定対象領域までの距離（撮影距離Ｌ）を入力するよう促すメッセージを表示する（Ｓ２０５）。続いて、制御部５は、測定対象領域とその撮影距離Ｌが入力されたか否かを判断し（Ｓ２０６）、入力されていないときは（Ｓ２０６、Ｎｏ）、入力されるまで待機する。
【００４０】
ここで、ユーザは、例えば撮影視野内に配置したテストチャート上の領域を測定対象領域として入力し、撮影手段２からそのテストチャートまでの距離を撮影距離Ｌとして入力する。なお、測定対象領域の入力は、例えば、ユーザがマウス等のポインティング・デバイス（不図示）を用いて、テストチャートの画像の上に矩形を描いて行なうものとすることができる。
【００４１】
ユーザが測定対象領域とその撮影距離Ｌを入力すると（Ｓ２０６、Ｙｅｓ）、制御部５の輝度取得手段５２は、無投光画像及び投光画像に基づき、指定された測定対象領域の輝度値Ｉと輝度差ΔＩを取得する（Ｓ２０７）。ここで、輝度値Ｉ及び輝度差ΔＩは、例えば、入力された測定対象領域内の各画素の輝度値の平均値及び輝度差の平均値を、それぞれ２５６階調で表した輝度の階調値として取得することができる。
【００４２】
次に、制御部５は、ステップＳ２０６において入力された撮影距離Ｌと、ステップＳ２０７で求めた輝度値Ｉ及び輝度差ΔＩを、距離算出情報として記憶部４に記憶し（Ｓ２０８）、操作表示部６に、校正モード処理の続行指示又は終了指示を入力するための画面を表示する（Ｓ２０９）。続いて、制御部５は、操作表示部６に校正作業の続行指示が入力されたか否かを判断し（Ｓ２１０）、続行指示が入力されたときは（Ｓ２１０、Ｙｅｓ）、ステップＳ２０１に戻って処理を繰り返す。
【００４３】
一方、続行指示が入力されていないとき、すなわち、終了指示が入力されたときは（Ｓ２１０、Ｙｅｓ）、算出情報生成手段５４は、測定された各測定値（Ｌ，Ｉ，ΔＩ）に基づき、内挿法又は外挿法により、所定の撮影距離Ｌにおける所定の輝度値Ｉに対する輝度差ΔＩを算出する（Ｓ２１１）。続いて、制御部５は、上記所定の撮影距離Ｌ及び輝度値Ｉと、算出した輝度差ΔＩとを、距離算出情報として記憶部４に記憶して（Ｓ２１２）、処理を終了する。
【００４４】
ここで、上記所定の撮影距離Ｌは、例えば図２に示した例であれば４ｍ、５ｍ、７ｍ、及び８ｍとすることにより（図２Ｃの点線）、３ｍから９ｍまで１ｍ間隔のデータを距離算出情報とすることができる。また、上記所定の輝度値Ｉとして、例えば、階調値１０から２５０まで１０階調の間隔とすることができる。これにより、後述する計測モード処理においては、距離計測のたびに内挿法や外挿法による計算を行なうことなく、撮影距離が不明の物体の撮影距離を精度１ｍで特定することができる。
なお、距離計測のたびに物体の撮影距離を内挿法又は外挿法により求める場合には、上記のステップＳ２１１及びＳ２１２の処理は不要である。
【００４５】
次に、測距装置１における計測モード処理の手順を、図６に示すフロー図にしたがって説明する。
計測モード処理を開始すると、制御部５は、ユーザが撮影開始指示を入力するための画面を操作表示部６に表示し（Ｓ３０１）、撮影開始指示が入力されたか否かを判断する（Ｓ３０２）。そして、撮影開始指示が入力されていないときは（Ｓ３０２、Ｎｏ）、入力されるまで待機する。
【００４６】
一方、操作表示部６に操作開始指示が入力されると（Ｓ３０２、Ｙｅｓ）、制御部５の画像取得手段５１は、投光手段３をＯＦＦにして撮影視野内にある物体の無投光画像を取得した後（Ｓ３０３）、投光手段３をＯＮにしてその物体の投光画像を取得する（Ｓ３０４）。次に、制御部５の輝度取得手段５２は、取得した無投光画像と投光画像に基づいて、画素毎に輝度値Ｉと輝度差ΔＩを取得し（Ｓ３０５）、記憶部４が記憶している距離算出情報を参照して（Ｓ３０６）、距離算出情報と、画素毎の輝度値Ｉ及び輝度差ΔＩから、画素毎の撮影距離Ｌを算出して（Ｓ３０７）、処理を終了する。
【００４７】
ここで、ステップＳ３０７で算出した画素毎の撮影距離Ｌは、例えば、通信インタフェース５５を介して他の機器（ＰＣ等）へ送信するものとしてもよい。また、ステップＳ３０３又はＳ３０４で取得した無投光画像又は投光画像を操作表示部６に表示すると共に、ユーザがマウス等（不図示）により指定した所定位置の画素の撮影距離Ｌを操作表示部６に表示するものとしてもよい。さらに、制御部５により、各画素にその撮影距離Ｌに応じた色を付し、撮影視野内に存在する各物体の撮影距離の違いを色の違いとして表示した画像（距離画像）を生成して、操作表示部６に表示するものとしてもよい。
【００４８】
なお、本実施形態では、投光画像と無投光画像を１回取得して撮影距離を算出するだけで計測モード処理を終了する構成としたが、撮影距離の算出後、ステップＳ３０３に戻って処理を繰り返すものとしてもよい。これにより、撮影距離をリアルタイムに計測して、物体の動きを捉えることができる。このように計測モード処理を繰り返す場合には、操作表示部６の表示領域の隅などに計測終了ボタンを表示しておき、ユーザが計測終了ボタンを押下したときに、操作表示部６から制御部５に割り込み信号を送信して計測モード処理を終了させるものとしてもよい。
【００４９】
次に、測距装置１における撮影モード処理の手順を、図７に示すフロー図にしたがって説明する。
撮影モード処理を開始すると、制御部５は、操作表示部６に、投光手段３の点灯指示又は消灯指示を入力するための画面を表示し（Ｓ４０１）、点灯指示が入力されたか否かを判断する（Ｓ４０２）。そして、点灯指示が入力されたときは（Ｓ４０２、Ｙｅｓ）、投光手段３が点灯していなければ、投光手段３を点灯する（Ｓ４０３）。一方、点灯指示が入力されていないときは（Ｓ４０２、Ｎｏ）、消灯指示が入力されたか否かを判断し（Ｓ４０４）、消灯指示が入力されたときは（Ｓ４０４、Ｙｅｓ）、投光手段３が点灯していれば、投光手段３を消灯する（Ｓ４０５）。また、ステップＳ４０４において、消灯指示が入力されていないときは（Ｓ４０４、Ｎｏ）、ステップＳ４０２に戻って、点灯指示又は消灯指示が入力されるまで上記の処理を繰り返す。
【００５０】
次に、制御部５は、ユーザが撮影開始指示を入力するための画面を操作表示部６に表示し（Ｓ４０６）、ユーザが撮影開始指示を入力したか否かを判断する（Ｓ４０７）。そして、撮影開始指示を入力していないときは（Ｓ４０７、Ｎｏ）、入力されるまで待機する。
【００５１】
一方、操作表示部６に撮影開始指示が入力されると（Ｓ４０７、Ｙｅｓ）、制御部５の画像取得手段５１は、撮影視野内にある物体の画像を取得した後（Ｓ４０８）、取得した画像を操作表示部６に表示して（Ｓ４０９）、処理を終了する。
【００５２】
上述した撮影モード処理においては、撮影視野の画像を１回取得して操作表示部６に表示するだけで撮影モード処理を終了する構成としたが、操作表示部６へ画像を表示した後、ステップＳ４０８に戻って処理を繰り返すものとしてもよい。これにより、撮影視野の画像をリアルタイムに撮影することができる。この場合には、操作表示部６の表示領域の隅などに撮影終了ボタンを表示しておき、ユーザが撮影終了ボタンを押下したときに、操作表示部６から制御部５に割り込み信号を送信して撮影モード処理を終了させるものとしてもよい。
【００５３】
なお、上述した校正モード処理、計測モード処理、及び撮影モード処理において、操作表示部６を用いて入力される情報（撮影開始指示や測定対象領域等）は、他の機器（ＰＣ等）から通信インタフェース５５を介して与えられるものとしてもよい。
【００５４】
次に、本発明の第２の実施形態に係る測距装置について説明する。
本測距装置では、第１の実施形態に係る測距装置１における記憶部４が記憶する距離換算情報を用いず、距離算出手段５３は、輝度値Ｉと輝度差ΔＩから撮影距離Ｌを求める算出式を用いて、物体までの距離を算出するものとする。
【００５５】
本実施形態によれば、内挿法又は外挿法等を用いることなく、物体までの距離を簡単に算出することができる。
【００５６】
具体的には、撮影距離Ｌを求める算出式は、撮影手段２から物体までの距離（撮影距離）Ｌ、その物体の無投光画像の輝度値Ｉ、及び、投光画像と無投光画像の輝度差ΔＩを、輝度値Ｉの異なる複数の物体について撮影距離Ｌを変えながら予め測定して得た測定値に基づき、直線近似法や２次曲線近似法等の数学的手法を用いて導出することができる。
【００５７】
なお、上記測定において、環境照明が暗く適切な明るさの無投光画像が得られないときは、投光手段３を、第１の発光状態と、第１の発光状態よりも明るい（照度の大きい）第２の発光状態で点灯するものとし、無投光画像の代わりに第１の発光状態において撮影した画像を、投光画像の代わりに第２の発光状態において撮影した画像を用いて、輝度値Ｉ及び輝度差ΔＩを測定し、上記算出式を導出するものとしてもよい。
【００５８】
次に、本発明の第３の実施形態について説明する。
本実施形態は、本発明に係る測距装置を、建物敷地等の監視領域を撮影する監視カメラとして用いた侵入者監視装置である。
図８は、本実施形態に係る侵入者監視装置７の構成を示すブロック図である。
本侵入者監視装置７は、測距装置１’と、測距装置１’に動作指示を与えると共に測距装置１’から画像を取得し、その画像を処理して侵入者を検知する処理部８と、測距装置１’と処理部８とを接続するデータバス９と、測距装置１’により取得した画像データを記憶する画像記憶部１０と、ユーザが処理部８への動作指示を入力する入力手段であり、かつ、処理部８がユーザに画像やデータを表示する表示部でもある、タッチパネル等により構成される操作表示部１１と、処理部８が侵入者を検知したときに警告を発するスピーカ１２と、を有している。
【００５９】
測距装置１’は、第１の実施形態に係る測距装置１と同様に、撮影手段２、投光手段３、記憶部４を有するが、操作表示部６を有さず、操作表示部６からの入力に応じて動作する制御部５の代わりに、データバス９を介して受信した動作指示により動作すると共に、画像データ等の情報をデータバス９を介して処理部８へ送信する制御部５’を有している。
【００６０】
制御部５’は、第１の実施形態に係る測距装置１における制御部５と同様に、画像取得手段５１、輝度取得手段５２、距離算出手段５３、算出情報生成手段５４、及び、通信インタフェース５５を有している。
【００６１】
処理部８は、ＣＰＵ（Central Processing Unit）、プログラムが書き込まれたＲＯＭ（Read Only Memory）、データの一時記憶のためのＲＡＭ（Random Access Memory）等を有するコンピュータであり、測距装置１’から取得した、侵入者等の異物のない状態における撮影視野の画像（背景画像）と、監視時の撮影視野の画像（監視画像）に基づき、監視画像と背景画像との各画素の差分（例えば輝度の差分）を算出して得られる画像（差分画像）により異物を検知する異物検知手段８１を有している。
【００６２】
また、処理部８は、測距装置１’により計測した異物までの距離と、差分画像における異物の影像（異物画像）の大きさ（例えば画素数）から、その異物の大きさを算出する異物サイズ算出手段８２と、異物サイズ算出手段８２が算出した異物の大きさが所定の大きさ以上であるときに、その異物を侵入者と判断して警報を発する警報発生手段８３と、データバス９を介して測距装置１’とデータのやりとりを行なうための通信インタフェース８４と、を有している。
【００６３】
なお、本実施形態では、侵入者監視装置７を動作させるコンピュータとして、処理部８及び測距装置１’が有するコンピュータである制御部５’を用いているが、制御部５’を用いず処理部８により、測距装置１’の各部を制御すると共に制御部５’が有する各手段を実現するものとしてもよい。また、画像記憶部１０を使用せず、画像記憶部１０に記憶する画像を記憶部４に記憶するものとしてもよい。
【００６４】
上記の構成を有する侵入者監視装置７は、背景画像と監視画像により得られる差分画像から異物を検知すると、その異物までの距離を測距装置１’により計測し、差分画像における異物画像の大きさと異物までの距離から、その異物の大きさを算出して、その大きさによりその異物が侵入者であるか否かを判断する。
これにより、侵入者監視装置７は、ネズミ等の小動物と人とを識別することができ、小動物を侵入者と間違えて誤報が生じるのを防止することができる。
【００６５】
次に、本侵入者監視装置７の動作手順について、図９に示すフロー図を用いて説明する。なお、侵入者監視装置７は、記憶部４に距離算出情報を記憶させるための校正モードと、侵入者の監視を行なう監視モードという２つの動作モードを有している。また、以下の説明においては、撮影手段２の撮影視野は、既に、建物敷地や屋内等の監視領域を撮影できるように設定されているものとする。
【００６６】
まず、ユーザが侵入者監視装置７の電源を投入すると（Ｓ５０１）、処理部８は、操作表示部１１に、動作モードを入力するための画面を表示し（Ｓ５０２）、動作モードが入力されたか否かを判断して（Ｓ５０３）、動作モードが入力されていないときは（Ｓ５０３、Ｎｏ）、入力されるまで待機する。一方、動作モードが入力されたときは（Ｓ５０３、Ｙｅｓ）、入力された動作モードが監視モードか否かを判断し（Ｓ５０４）、監視モードであるときは（Ｓ５０４、Ｙｅｓ）、監視モード処理を行った後（Ｓ５０５）、ステップＳ５０２に戻る。
【００６７】
また、ステップＳ５０４において、入力された動作モードが監視モードでないとき、すなわち、校正モードであるときは（Ｓ５０４、Ｎｏ）、校正モード処理を行った後（Ｓ５０６）、ステップＳ５０２に戻る。
【００６８】
なお、ステップＳ５０６の校正モード処理は、図５に示した校正モード処理と同様であるが、操作表示部６の代わりに操作表示部１１が使用されることのみが異なる。
【００６９】
次に、侵入者監視装置７における監視モード処理の手順を、図１０に示すフロー図にしたがって説明する。
監視モード処理を開始すると、処理部８は、背景画像の取得指示（背景取得指示）又は監視画像の取得指示（監視動作指示）のいずれかを入力するための画面（動作指示入力画面）を操作表示部１１に表示する（Ｓ６０１）。
【００７０】
次に、処理部８は、上記のいずれかの動作指示が入力されたか否かを判断して（Ｓ６０２）、いずれの動作指示も入力されていないときは（Ｓ６０２、Ｎｏ）、いずれかが入力されるまで待機する。一方、いずれかの指示が入力されたときは（Ｓ６０２、Ｙｅｓ）、入力された指示が監視動作指示であるか否かを判断し（Ｓ６０３）、監視動作指示であるときは（Ｓ６０３、Ｙｅｓ）、監視処理を行った後（Ｓ６０４）、ステップＳ６０１に戻って処理を繰り返す。
【００７１】
一方、ステップＳ６０３において、入力された指示が監視動作指示でないとき、すなわち背景取得指示であるときは（Ｓ６０３、Ｎｏ）、背景取得処理を行った後（Ｓ６０５）、ステップＳ６０１に戻って処理を繰り返す。
【００７２】
次に、侵入者監視装置７における背景取得処理の手順を、図１１に示すフロー図にしたがって説明する。
背景取得処理を開始すると、処理部８は、測距装置１’に、撮影視野内（すなわち監視領域）の無投光画像及び投光画像の取得を指示するコマンドを、データバス９を介して送信する（Ｓ７０１）。
【００７３】
測距装置１’の制御部５’は上記のコマンドを受信し、画像取得手段５１により、まず投光手段３をＯＦＦにして監視領域の無投光画像を取得した後（Ｓ７０２）、投光手段３をＯＮにして監視領域の投光画像を取得する（Ｓ７０３）。続いて、制御部５’は、取得した無投光画像及び投光画像を、それぞれ無投光時の背景画像及び投光時の背景画像として記憶部４に記憶した後（Ｓ７０４）、それらの画像をデータバス９を介して処理部８に送信する（Ｓ７０５）。
【００７４】
処理部８は、制御部５’から送信された無投光画像及び投光画像を受信し、これらの画像を、それぞれ無投光時の背景画像及び投光時の背景画像として画像記憶部１０に記憶して（Ｓ７０６）、背景取得処理を終了する。
【００７５】
次に、侵入者監視装置７における監視処理の手順を、図１２に示すフロー図にしたがって説明する。なお、測距装置１’の記憶部４には、侵入者監視装置７の設置環境における距離算出情報が、既に記憶されているものとする。
監視動作処理を開始すると、処理部８は、上述した背景取得処理における画像取得動作（図１１のステップＳ７０１ないしＳ７０５）と同様に、測距装置１’に対しコマンドを送信し、測距装置１’により、監視領域の無投光画像と投光画像を取得する（Ｓ８０１）。このとき、制御部５’は、図１１のステップＳ７０４と同様に、監視領域の無投光画像と投光画像を、無投光時の監視画像及び投光時の監視画像として記憶部４に記憶するものとする。
【００７６】
次に、処理部８は、測距装置１’により取得した監視領域の無投光画像と投光画像を、それぞれ無投光時の監視画像及び投光時の監視画像として画像記憶部１０に記憶する（Ｓ８０２）。
【００７７】
続いて、処理部８の異物検知手段８１は、画像記憶部１０に記憶された各画像を参照し、無投光時の差分画像と投光時の差分画像を生成する（Ｓ８０３）。無投光時及び投光時の差分画像の生成は、それぞれ、無投光時及び投光時の、背景画像と監視画像の差分、例えば、画素毎の輝度の差の絶対値を算出して生成する。
【００７８】
次に、異物検知手段８１は、無投光時及び投光時の差分画像に異物が写っているか否かを判断する（Ｓ８０４）。ここで、差分画像に異物が写っているか否かの判断は、例えば、各差分画像に対し所定の値より大きい輝度値を持つ画素（異物画素）のみを抽出する２値化処理を行った後、ラベリング処理を行って、隣接する異物画素の画素数が所定の数を超えていれば異物有りと判断することができる。
【００７９】
ステップＳ８０４において、無投光時の差分画像又は投光時の差分画像のいずれかの差分画像に異物が写っていないときは（Ｓ８０４、Ｎｏ）、ステップＳ８０１に戻って処理を繰り返す。
一方、ステップＳ８０４において、無投光時及び投光時の差分画像のいずれにも異物が写っているときは（Ｓ８０４、Ｙｅｓ）、処理部８の異物サイズ算出手段８２は、無投光時及び投光時の差分画像に写っている異物の、縦方向及び横方向の画素数を、それぞれ算出する（Ｓ８０５）。
【００８０】
続いて、処理部８の異物サイズ算出手段８２は、測距装置１’に対し、その異物までの距離（異物の撮影距離Ｌ）を算出するよう指示するコマンド（算出指示コマンド）を送信する（Ｓ８０６）。ここで、上記の算出指示コマンドは、例えば、距離算出の対象位置として、無投光時及び投光時の監視画像における異物画素の位置の情報を付して構成することができる。
【００８１】
次に、制御部５’は、算出指示コマンドを受信し、記憶部４に記憶した無投光時及び投光時の監視画像に基づき、距離算出手段５３により、上記算出指示コマンドにより指定された位置の各異物画素の撮影距離Ｌを算出して、処理部８に送信する（Ｓ８０７）。
【００８２】
処理部８は、各異物画素の撮影距離Ｌを受信し、異物サイズ算出手段８２は、受信した異物画素の撮影距離Ｌの平均値を算出して、異物までの距離とする（Ｓ８０８）。ここで、異物までの距離は、平均値以外にも、異物画素の撮影距離Ｌの最小値、最大値、又は中央値とすることができる。また、各異物画素の撮影距離Ｌが距離範囲として表現されている場合は、その距離範囲の中央値の平均値、下限値の最小値、又は上限値の最大値とすることもできる。
【００８３】
次に、異物サイズ算出手段８２は、ステップＳ８０５で算出した異物の縦方向及び横方向の画素数と、ステップＳ８０８で算出した異物までの距離に基づき、その異物のサイズ（縦方向及び横方向の大きさ）を算出する（Ｓ８０９）。続いて、警報発生手段８３は、算出した異物のサイズが所定のサイズ以上であるか否かを判断し（Ｓ８１０）、所定のサイズ以上（例えば、縦方向及び横方向の大きさがいずれも所定の値以上）であるときは（Ｓ８１０、Ｙｅｓ）、その異物を侵入者であると判断し、侵入者を検知したことを示す警報として、スピーカ１２から警告音を鳴らし（Ｓ８１１）、監視処理を終了する。
【００８４】
なお、警報発生後は、監視処理を終了せずに警報を発し続けるものとすることもできる。この場合には、例えば、操作表示部１１に設けたリセットスイッチ（不図示）等により警報を解除して、監視処理を終了するものとすることができる。また、警報発生手段８３が発する警報として、スピーカ１２から警告音を鳴らす代わりに、赤色ランプを点滅させたり、建物等の監視領域全体を管理する監視装置（不図示）等に警報信号を送信するものとしてもよい。
【００８５】
一方ステップＳ８１０において、異物の縦方向及び横方向の大きさのいずれかが、所定の大きさ未満であるときは（Ｓ８１０、Ｎｏ）、その異物は侵入者ではないものとして、ステップＳ８０１に戻って処理を繰り返す。
ここで、ステップＳ８１０では、異物の縦方向及び横方向の大きさのいずれもが所定の値以上であるときに、その異物を侵入者と判断するものとしたが、縦方向又は横方向のいずれかが所定の大きさ以上であるときに、その異物を侵入者と判断するものとしてもよい。また、異物の面積が所定の値以上であるときに、その異物を侵入者と判断するものとしてもよい。
【００８６】
なお、上述した監視動作処理においては、無投光時及び投光時の差分画像の両方に異物が映っていると判断したときに異物までの距離を計測するものとしたが（図１２のステップＳ８０４、Ｙｅｓ）、これに限らず、無投光時の差分画像又は投光時の差分画像のいずれかに異物が映っていると判断したときに、異物までの距離を計測するものとしてもよい。
【００８７】
また、侵入者検知の判断基準として異物の縦方向及び横方向の大きさが所定の値以上であること（図１２のステップＳ８１０、Ｙｅｓ）としたが、その他にも、例えば、異物画素の撮影距離Ｌの最大値と最小値の差から算出した異物の奥行き方向の厚みが、所定の値以上であることも、判断基準の一つとすることができる。
【００８８】
以上説明したように、第１及び第２の実施形態に係る測距装置は、特殊な部品を用いることなく、一般に使用されている投光器付きカメラ等、撮影手段２と投光手段３とを組み合わせた簡単な構成により、被測定物の画像に基づいてその被測定物までの距離を測定することができる。また、本発明に係る測距装置を用いれば、第３の実施形態に係る侵入者監視装置のように、小動物等と侵入者とを的確に識別して、小動物等を侵入者と間違えて誤報を生ずることのない侵入者監視装置を、安価に構成することができる。
【符号の説明】
【００８９】
１、１’・・・測距装置、２・・・撮影手段、３・・・投光手段、４・・・記憶部、５、５’・・・制御部、５１・・・画像取得手段、５２・・・輝度取得手段、５３・・・距離算出手段、５４・・・算出情報生成手段、５５、８４・・・通信インタフェース、６、１１・・・操作表示部、７・・・侵入者監視装置、８・・・処理部、８１・・・異物検知手段、８２・・・異物サイズ算出手段、８３・・・警報発生手段、９・・・データバス、１０・・・画像記憶部、１２・・・スピーカ。
【図１】
2012117896.tif 000003
【図２】
2012117896.tif 000004
【図３】
2012117896.tif 000005
【図４】
2012117896.tif 000006
【図５】
2012117896.tif 000007
【図６】
2012117896.tif 000008
【図７】
2012117896.tif 000009
【図８】
2012117896.tif 000010
【図９】
2012117896.tif 000011
【図１０】
2012117896.tif 000012
【図１１】
2012117896.tif 000013
【図１２】
2012117896.tif 000014